(57)【特許請求の範囲】
【請求項１】
穀類搬送ケースの上下端に軸支した上部プーリおよび下部プーリ間に、多数のバケットを取り付けた搬送ベルトを懸架してなる穀類搬送昇降機において、穀類搬送ケース内のバケットの戻り側に、バケットの移動軌跡に介入してバケットの前縁部および両側縁部をそれぞれ掃擦するブラシを、バケットの移動によってそれぞれ順次１つずつバケットに当たる位置に設けたことを特徴とする穀類搬送昇降機における糠付着防止装置。
【請求項２】
穀類搬送ケースのバケットの戻り側に開閉扉を設け、この開閉扉の内面にバケットの前縁部および両側縁部をそれぞれ掃擦するブラシの全部または一部を取り付けたことを特徴とする請求項１記載の穀類搬送昇降機における糠付着防止装置。
【請求項３】
バケットの前縁部および両側縁部をそれぞれ掃擦するブラシは、少なくともその毛先の一部がバケットの移動軌跡内で上向きを成していることを特徴とする請求項１または２記載の穀類搬送昇降機における糠付着防止装置。
【請求項４】
穀類搬送ケースには、バケットの前縁部および両側縁部をそれぞれ掃擦するブラシを設けた部位に吸引排塵装置を設けたことを特徴とする請求項１、２または３記載の穀類搬送昇降機における糠付着防止装置。
【請求項５】
穀類搬送ケースのバケットの揚送側に開閉扉を設けたことを特徴とする請求項１、２、３または４記載の穀類搬送昇降機における糠付着防止装置。
【発明の詳細な説明】
【０００１】
【発明の属する技術分野】
本発明は、穀類搬送ケースの上下端に軸支した上下のプーリ間に、多数のバケットを取り付けた搬送ベルトを懸架してなる穀類搬送昇降機において、バケットの前縁部および両側縁部に付着する糠を除去してその堆積を防止する糠付着防止装置に関する。
【０００２】
【従来の技術】
穀類搬送ケースの上下端に軸支した上下のプーリ間に、多数のバケットを取り付けた搬送ベルトを懸架してなる穀類搬送昇降機は、穀類調製装置等において穀類を搬入搬出するのに広く用いられている。その穀類調製装置としては、例えば、玄米や白米の自動計量装置がある。
【０００３】
【発明が解決しようとする課題】
ところで、白米はその表面に油性分が滲出していて糠が少なからず付着しているので、白米の自動計量装置に備えた穀類搬送昇降機においては、特にバケットの前縁部や両側縁部に糠が付着堆積しやすく、その糠が汚れた玉状に固まって剥脱し、搬送中の白米に混入することが避けられず、これが白米の品位低下の原因となる。
【０００４】
一般に、餅米は粳米に比して糠の付着度合が大きいが、なかでも、正月用の餅米として１２月頃（冬場）に精米するものは、夏場に精米する餅米よりも糠の付着度合が著しく高いことが知られている。すなわち、冬場においては外気温が低く（５℃〜１０℃程度）、精米されたものの穀温（５０℃前後）との温度格差が大きいので、このことが外気温の高い夏場に精米したものより糠付着度合が著しく高くなる要因である。
【０００５】
このため、殊に冬場に精米された餅米を取り扱う場合には、バケットの前縁部や両側縁部に付着する糠を随時除去することが必要となるが、従来のこの種の穀類昇降搬送機おいては、搬送ケースを開くことが容易でなかったので、付着糠の除去作業を怠りがちであるばかりでなく、搬送ケースを開いてバケットに付着した糠を除去するにも、バケットが多数であるところから、往々にして不完全な作業しかなされなかったり、また、多大な労力と時間を要するものであったのである。
【０００６】
本発明は、従来のこのような問題点を解消しようとするものであって、穀類搬送ケース内のバケットの戻り側に、バケットの移動軌跡に介入してバケットの前縁部および両側縁部を掃擦するブラシを設けたことにより、穀類の揚送稼動中においてバケットの前縁および両側縁に糠が付着堆積するのを未然に防止することができ、もって、付着糠の除去作業をあらためて行うことを何ら要しない穀類搬送昇降機における糠付着防止装置を提供することを目的とするものである。
【０００７】
【課題を解決するための手段】
上記目的を達成するため、本発明に係る穀類搬送昇降機における糠付着防止装置は、穀類搬送ケースの上下端に軸支した上部プーリおよび下部プーリ間に、多数のバケットを取り付けた搬送ベルトを懸架してなる穀類搬送昇降機において、穀類搬送ケース内のバケットの戻り側に、バケットの移動軌跡に介入してバケットの前縁部および両側縁部をそれぞれ掃擦するブラシを、バケットの移動によってそれぞれ順次１つずつバケットに当たる位置に設けたことを特徴とするものである。
【０００８】
本発明に係る穀類搬送昇降機における糠付着防止装置は、上記構成においてそれぞれ次のように構成するのが好適である。すなわち、その１として、穀類搬送ケースのバケットの戻り側に開閉扉を設け、この開閉扉の内面にバケットの前縁部および両側縁部をそれぞれ掃擦するブラシの全部または一部を取り付けたことことである。
【０００９】
また、その２として、バケットの前縁部および両側縁部をそれぞれ掃擦するブラシは、少なくともその毛先の一部がバケットの移動軌跡内で上向きを成していることことである。
【００１０】
また、その３として、穀類搬送ケースには、バケットの前縁部および両側縁部をそれぞれ掃擦するブラシを設けた部位に吸引排塵装置を設けたことである。
【００１１】
また、その４として、穀類搬送ケースのバケットの揚送側に開閉扉を設けたことである。
【００１２】
【発明の実施の形態】
図１は本発明に係る穀類搬送昇降機を備えた白米計量機の前方側から見た全体斜視図、図２は本発明に係る穀類搬送昇降機を備えた白米計量機の後方側から見た全体斜視図、図３は本発明に係る穀類搬送昇降機の一部の斜視図、図４は本発明に係る穀類搬送昇降機の他の部分を示す一部の斜視図である。
【００１３】
図１および図２において、１は白米供給ホッパ、２は穀類搬送昇降機（バケットコンベア）、３はタンクである。上記タンク３の下部には、下向きに開口する白米流出口４が設けられており、その白米流出口４には、それを上下方向に弧を描いて開閉するシャッタ５が備えられている。６は流出白米の飛散防止筒である。７は制御盤である。上記白米流出口４の下方には重量計８を配置して、その上にセットした収納袋（図示せず）に白米流出口４から流出される白米を収納する。その収納制御は上記制御盤７によって自動制御されるようになっている。
【００１４】
穀類搬送昇降機２は、穀類搬送ケース９の上下端にそれぞれ軸支した上部プーリ（図示せず）と下部プーリ（図示せず）との間に、多数のバケット１０を取り付けた搬送ベルト１１を懸架してなるものであって、上部プーリが駆動側、下部プーリが従動側である。１２はベルト緊張調整機構であって、搬送ベルト１１を適度の緊張度に保持するものである。
【００１５】
図３に示すように、穀類搬送ケース９内のバケット１０の戻り側には、バケット１０の移動軌跡に介入してバケットの前縁部および両側縁部を掃擦するブラシ１３および１４，１５が設けられている。すなわち、穀類搬送ケース９内のバケット１０の戻り側下部には、開閉扉１６が設けられており、上記バケット１０の前縁部を掃擦するブラシ１３と一方の側縁部を掃擦するブラシ１４は開閉扉１６の内面に取り付けられている。バケット１０の他方の側縁部を掃擦するブラシ１５は穀類搬送ケース９の内面に取り付けられている。
【００１６】
バケット１０の前縁部および両側縁部を掃擦するブラシ１３および１４，１５は、少なくともその毛先の一部がバケット１０の移動軌跡内で上向きを成している（図３参照）。また、バケット１０の前縁部および両側縁部をそれぞれ掃擦するブラシ１３および１４，１５は、バケット１０の移動によってそれぞれ順次１つずつバケット１０に当たる位置に、上下互い違いに設けられている。ブラシ１３，１４，１５は硬直性と弾発性にすぐれた樹脂製のものが適当である。ブラシ１３，１４，１５は摩耗したときに交換を要するが、開閉扉１６を開くことにより容易に交換することができる。
【００１７】
穀類搬送ケース９には、バケット１０の前縁部および両側縁部を掃擦するブラシ１３および１４，１５を設けた部位に、吸引排塵装置１７が設けられている。この吸引排塵装置１７は、穀類搬送ケース９内の特にブラシ１３および１４，１５の付近に生じた塵埃を吸引して外部に排出するものである。したがって、バケット９から掃擦された糠も吸引排塵装置１７の吸引作用によって外部に排除することができる。
【００１８】
穀類搬送ケース９のバケット１０の揚送側で、上下高さの略中間部位には、開閉扉１８が設けられている。この開閉扉１８を開くことにより、バケット１０および搬送ベルト１１を外部から的確に観察することができ、バケット１０に糠が付着堆積していないか、あるいは搬送ベルト１１に弛みが生じていないかなどを容易かつ確実に把握することができる（図４参照）。
【００１９】
本発明に係る穀類昇降搬送機２においては、バケット１０の前縁部および両側縁部を掃擦するブラシ１３および１４，１５が、少なくともその毛先の一部がバケット１０の移動軌跡内で上向きを成しているので（図３参照）、これらのブラシ１３，１４，１５の毛先が戻り方向に移動してくるバケット９の前縁部、両側縁部の内面に毛先が介入してその部分を効果的に掃擦する。そして、バケット９の前縁部、両側縁部の内面は特に糠が付着堆積しやすい部位であるから、毛先の一部がバケット１０の移動軌跡内で上向きを成しているブラシ１３，１４，１５を設けたことによるバケット１０に対する糠付着防止効果はきわめて大である。
【００２０】
また、バケット１０の前縁部および両側縁部をそれぞれ掃擦するブラシ１３および１４，１５は、バケット１０の移動によってそれぞれ順次１つずつバケット１０に当たる位置に、上下互い違いに設けられているので（図３参照）、戻り方向に移動してくるバケット９には、ブラシ１３，１４，１５が２つまたは３つが同時に当たることがない。このため、バケット９に対するブラシ１３，１４，１５の当接による抵抗は極力抑えられるうえ、搬送ベルト１１の振動も生ぜず、ブラシ１３，１４，１５を設けたことによる白米の揚送障害は何ら起こらない。
【００２１】
【発明の効果】
本発明によれば、穀類搬送ケース内のバケットの戻り側に、バケットの移動軌跡に介入してバケットの前縁部および両側縁部を掃擦するブラシを設けたことにより、穀類の揚送稼動中においてバケットの前縁および両側縁に糠が付着堆積するのを未然に防止することができ、付着糠の除去作業をあらためて行うことを何ら要しない穀類搬送昇降機における糠付着防止装置を得ることができる。
【図面の簡単な説明】
【図１】  本発明に係る穀類搬送昇降機を備えた白米計量機の前方側から見た全体斜視図である。
【図２】  本発明に係る穀類搬送昇降機を備えた白米計量機の後方側から見た全体斜視図である。
【図３】  本発明に係る穀類搬送昇降機の一部の斜視図である。
【図４】  本発明に係る穀類搬送昇降機の他の部分を示す一部の斜視図である。
【符号の説明】
１  白米供給ホッパ
２  穀類搬送昇降機
３  タンク
４  白米流出口
５  シャッタ
６  飛散防止筒
７  制御盤
８  重量計
９  穀類搬送ケース
１０  バケット
１１  搬送ベルト
１２  ベルト緊張調整機構
１３，１４，１５  ブラシ
１６  開閉扉
１７  吸引排塵装置
１８  開閉扉
【図１】
0003843366.tif 000002
【図２】
0003843366.tif 000003
【図３】
0003843366.tif 000004
【図４】
0003843366.tif 000005